【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】  新しく製造された印刷された又は染色された布帛又はヤーンから過剰な染料を除去するための方法であって、
ペルオキシダーゼ活性又はラッカーゼ活性を示す酵素からなる群から選択される少なくとも１の酵素、
酸化剤、及び
成分：＞Ｎ−ＯＨを含む、脂肪族、シクロ脂肪族、ヘテロ環又は芳香族化合物からなる群から選択される少なくとも１のメディエーター、ここで当該メディエーターがすすぎ液中において１μＭ〜１ｍＭの濃度において存在する、及び、
任意に、添加物
を含むすすぎ液で処理することを含む方法。
【請求項２】  前記酵素が、ラッカーゼ（ＥＣ１．１０．３．２）、カテコールオキシダーゼ（ＥＣ１．１０．３．１）、ビリルビンオキシダーゼ（ＥＣ１．３．３．５）、ペルオキシダーゼ（ＥＣ１．１１．１．７）もしくはハロペルオキシダーゼ（ＥＣ１．１１．１．１０）、もしくはそれらから得られる酵素活性を示すいずれかのフラグメント、又はそれらの合成もしくは半合成誘導体であることを特徴とする請求項１に記載の方法。
【請求項３】  前記ハロペルオキシダーゼが塩化物ペルオキシダーゼである、請求項２に記載の方法。
【請求項４】  前記ペルオキシダーゼが、コプリヌス（Ｃｏｐｒｉｎｕｓ）の株から又はダイズから得られることを特徴とする請求項２に記載の方法。
【請求項５】  前記ラッカーゼが、ホメス（Ｆｏｍｅｓ）、トラメテス（Ｔｒａｍｅｔｅｓ）、リゾクトニア（Ｒｈｉｚｏｃｔｏｎｉａ）、コプリヌス（Ｃｏｐｒｉｎｕｓ）、マイセリオフトラ（Ｍｙｃｅｌｉｏｐｈｔｈｏｒａ）、スキタリジウム（Ｓｃｈｙｔａｌｉｄｉｕｍ）、又はポリポルス（Ｐｏｌｙｐｏｒｕｓ）から得られることを特徴とする請求項２に記載の方法。
【請求項６】  前記酵素の量がすすぎ液１Ｌ当り０．００５〜５ｍｇの酵素タンパク質であることを特徴とする、請求項１〜５のいずれかに記載の方法。
【請求項７】  前記酵素の量がすすぎ液１Ｌ当り０．０２〜２ｍｇの酵素タンパク質であることを特徴とする請求項１〜６のいずれかに記載の方法。
【請求項８】  前記酵素の量がすすぎ液１Ｌ当り０．０５〜１ｍｇの酵素タンパク質であることを特徴とする請求項１〜６のいずれかに記載の方法。
【請求項９】  前記酸化剤がＨ2Ｏ2源であることを特徴とする請求項１〜８のいずれかに記載の方法。
【請求項１０】  前記Ｈ2Ｏ2源が、過酸化水素、ペルボレート、ペルカーボネート、ペルスルフェート、ペルオキシカルボン酸もしくはそれらの塩、又は過酸化水素を生成することができる酵素システムであることを特徴とする請求項９に記載の方法。
【請求項１１】  Ｈ2Ｏ2の濃度が０．０１〜５０ｍＭであることを特徴とする請求項１０に記載の方法。
【請求項１２】  前記Ｈ2Ｏ2の濃度が０．１〜５ｍＭであることを特徴とする請求項１０に記載の方法。
【請求項１３】  前記酸化剤がＯ2源であることを特徴とする請求項１〜８のいずれかに記載の方法。
【請求項１４】  前記Ｏ2源が、空気、純粋なＯ2、又はＯ2生成酵素システムであることを特徴とする請求項１３に記載の方法。
【請求項１５】  前記メディエーターが、一般式Ｉ：
【化１】
2002500284.tif 000001
（式中、Ｒ1，Ｒ2，Ｒ3，Ｒ4は、個々に、水素、ハロゲン、ヒドロキシ、ホルミル、カルボキシ並びにそれらの塩及びエステル、アミノ、ニトロ、Ｃ1−Ｃ12アルキル、Ｃ1−Ｃ6アルコキシ、カルボニル（Ｃ1−Ｃ12アルキル）、アリール、スルホ、アミノスルホニル、カルバモイル、ホスホノ、ホスホノオキシ、並びにそれらの塩及びエステルであり、ここでＲ1，Ｒ2，Ｒ3，Ｒ4はＲ5で置換してもよく、ここでＲ5は、水素、ハロゲン、ヒドロキシ、ホルミル、カルボキシ並びにそれらの塩及びエステル、アミノ、ニトロ、Ｃ1−Ｃ12アルキル、Ｃ1−Ｃ6アルコキシ、カルボニル（Ｃ1−Ｃ12アルキル）、アリール、スルホ、アミノスルホニル、カルバモイル、ホスホノ、ホスホノオキシ、並びにそれらの塩及びエステルであり、
〔Ｘ〕は、（−Ｎ＝Ｎ−）、（−Ｎ＝ＣＲ6−）m，（−ＣＲ6＝Ｎ−）m，（−ＣＲ7＝ＣＲ8−）mからなる群から選択され、そして
ｍは１又は２である）
の化合物であることを特徴とする請求項１〜１４のいずれかに記載の方法。
【請求項１６】  前記式中のＲ1，Ｒ2，Ｒ3，Ｒ4のいずれかがフェニルである、請求項１５に記載の方法。
【請求項１７】  前記式中のＲ5がフェニルである、請求項１５又は１６に記載の方法。
【請求項１８】  前記メディエーターが、一般式II：
【化２】
2002500284.tif 000002
（式中、Ｒ1，Ｒ2，Ｒ3，Ｒ4は請求項１５〜１７に定義される通りである）の化合物又はその塩もしくはエステルであることを特徴とする請求項１に記載の方法。
【請求項１９】  前記メディエーターが１−ヒドロキシベンゾトリアゾールであることを特徴とする請求項１８に記載の方法。
【請求項２０】  前記すすぎ液中のメディエーターの濃度が１０μＭ〜０．５ｍＭであることを特徴とする請求項１〜１９のいずれかに記載の方法。
【請求項２１】  前記添加物が界面活性剤及び／又は水コンディショニング剤であることを特徴とする請求項１〜２０のいずれかに記載の方法。
【請求項２２】  前記染料又は印刷が反応染料であることを特徴とする請求項１〜２１のいずれかに記載の方法。
【請求項２３】  新しく製造された印刷された又は染色された布帛又はヤーンから過剰な染料を除去するための多成分システムであるシステムであって、
ペルオキシダーゼ活性又はラッカーゼ活性を示す酵素からなる群から選択される少なくとも１の酵素、
任意に、酸化剤、及び
成分：＞Ｎ−ＯＨを含む、脂肪族、シクロ脂肪族、ヘテロ環又は芳香族化合物からなる群から選択される少なくとも１のメディエーター、ここで前記多成分システムがすすぎ液に溶解される場合に、当該メディエーターがすすぎ液中において１μＭ〜１ｍＭの濃度において存在する、及び、
任意に、添加物、
を含むシステム。
【請求項２４】  前記酵素が、ラッカーゼ（ＥＣ１．１０．３．２）、カテコールオキシダーゼ（ＥＣ１．１０．３．１）、ビリルビンオキシダーゼ（ＥＣ１．３．３．５）、ペルオキシダーゼ（ＥＣ１．１１．１．７）もしくはハロペルオキシダーゼ（ＥＣ１．１１．１．１０）、もしくはそれらから得られる酵素活性を示すいずれかのフラグメント、又はそれらの合成もしくは半合成誘導体であることを特徴とする請求項２３に記載のシステム。
【請求項２５】  前記ハロペルオキシダーゼが塩化物ペルオキシダーゼである、請求項２４に記載のシステム。
【請求項２６】  前記ペルオキシダーゼが、コプリヌス（Ｃｏｐｒｉｎｕｓ）の株から又はダイズから得られることを特徴とする請求項２４に記載のシステム。
【請求項２７】  前記ラッカーゼが、ホメス（Ｆｏｍｅｓ）、トラメテス（Ｔｒａｍｅｔｅｓ）、リゾクトニア（Ｒｈｉｚｏｃｔｏｎｉａ）、コプリヌス（Ｃｏｐｒｉｎｕｓ）、マイセリオフトラ（Ｍｙｃｅｌｉｏｐｈｔｈｏｒａ）、スキタリジウム（Ｓｃｈｙｔａｌｉｄｉｕｍ）、又はポリポルス（Ｐｏｌｙｐｏｒｕｓ）から得られることを特徴とする請求項２４に記載のシステム。
【請求項２８】  前記酸化剤がＨ2Ｏ2源であることを特徴とする請求項２３〜２７のいずれかに記載のシステム。
【請求項２９】  前記Ｈ2Ｏ2源が、過酸化水素、ペルボレート、ペルカーボネート、ペルスルフェート、ペルオキシカルボン酸もしくはそれらの塩、又は過酸化水素を生成することができる酵素システムであることを特徴とする請求項２８に記載のシステム。
【請求項３０】  Ｈ2Ｏ2の濃度が０．０１〜５０ｍＭであることを特徴とする請求項２９に記載のシステム。
【請求項３１】  前記Ｈ2Ｏ2の濃度が０．１〜５ｍＭであることを特徴とする請求項２９に記載のシステム。
【請求項３２】  前記酸化剤がＯ2源であることを特徴とする請求項２３〜２７のいずれかに記載のシステム。
【請求項３３】  前記Ｏ2源が、空気、純粋なＯ2、又はＯ2生成酵素システムであることを特徴とする請求項３２に記載のシステム。
【請求項３４】  前記メディエーターが、一般式Ｉ：
【化３】
2002500284.tif 000003
（式中、Ｒ1，Ｒ2，Ｒ3，Ｒ4は、個々に、水素、ハロゲン、ヒドロキシ、ホルミル、カルボキシ並びにそれらの塩及びエステル、アミノ、ニトロ、Ｃ1−Ｃ12アルキル、Ｃ1−Ｃ6アルコキシ、カルボニル（Ｃ1−Ｃ12アルキル）、アリール、スルホ、アミノスルホニル、カルバモイル、ホスホノ、ホスホノオキシ、並びにそれらの塩及びエステルであり、ここでＲ1，Ｒ2，Ｒ3，Ｒ4はＲ5で置換してもよく、ここでＲ5  は、水素、ハロゲン、ヒドロキシ、ホルミル、カルボキシ並びにそれらの塩及びエステル、アミノ、ニトロ、Ｃ1−Ｃ12アルキル、Ｃ1−Ｃ6アルコキシ、カルボニル（Ｃ1−Ｃ12アルキル）、アリール、スルホ、アミノスルホニル、カルバモイル、ホスホノ、ホスホノオキシ、並びにそれらの塩及びエステルであり、
〔Ｘ〕は、（−Ｎ＝Ｎ−）、（−Ｎ＝ＣＲ6−）m，（−ＣＲ6＝Ｎ−）m，（−ＣＲ7＝ＣＲ8−）mからなる群から選択され、そして
ｍは１又は２である）
の化合物であることを特徴とする請求項２３〜２７のいずれかに記載のシステム。
【請求項３５】  前記式中のＲ1，Ｒ2，Ｒ3，Ｒ4のいずれかがフェニルである、請求項３４に記載のシステム。
【請求項３６】  前記式中のＲ5が、フェニルである、請求項３４又は３５に記載のシステム。
【請求項３７】  前記メディエーターが、一般式II：
【化４】
2002500284.tif 000004
（式中、Ｒ1，Ｒ2，Ｒ3，Ｒ4は請求項３４に定義される通りである）の化合物又はその塩もしくはエステルであることを特徴とする請求項３４〜３６のいずれかに記載のシステム。
【請求項３８】  前記メディエーターが１−ヒドロキシベンゾトリアゾールであることを特徴とする請求項３７に記載のシステム。
【請求項３９】  一成分が、前記酵素及び前記メディエーターを含む溶液であることを特徴とする請求項２３〜３８のいずれかに記載のシステム。
【請求項４０】  一成分が、前記酵素及び前記メディエーターを含むスラリーであることを特徴とする請求項２３〜３８のいずれかに記載のシステム。
【請求項４１】  一成分が、前記酵素及び前記メディエーターを含む粒状物であることを特徴とする請求項２３〜３８のいずれかに記載のシステム。
【請求項４２】  一成分が、前記酵素を含む粒状物であり、別の成分が、メディエーターを含む粒状物であることを特徴とする請求項２３〜３８のいずれかに記載のシステム。
【請求項４３】  新しく製造された布帛又はヤーンから、過剰な染料又は印刷を除去するための多成分システムを調製するための、
ペルオキシダーゼ活性又はラッカーゼ活性を示す酵素からなる群から選択される少なくとも１の酵素、
任意に、酸化剤、及び、
成分：＞Ｎ−ＯＨを含む、脂肪族、シクロ脂肪族、ヘテロ環又は芳香族化合物からなる群から選択される少なくとも１のメディエーター、及び、
任意に、添加物、
を含む構成物の使用。